(57)【要約】【課題】風雨さらされる屋外環境においても安定した分解性能を維持し、故障も少ない、したがって使い勝手の良い生ごみ処理機を提供する。【解決手段】生ごみを分解処理する処理槽２と、前記処理槽と外気とを連通する吸気通路７と、前記吸気通路中に配設されて前記処理槽内に外気を導入する送風装置１６と、前記吸気通路の外気空気取り入れ口に設けたフィルター１２とを備え、前記吸気通路７を上下方向に形成してその上部に送風装置１６、下部にフィルター１２を設けた構成としてあり、外部から大きいほこりやごみが送風装置に吸い込まれるのを防具ことができ、しかも吸気通路の外気空気取り入れ口から雨水が進入してもこの雨水が送風装置部分まで入り込むことがなく、屋外設置の環境でも風量不足を起こすことなく生ごみの処理性能を安定させ故障の少ない、使い勝手の良い生ごみ処理機を実現することが出来る。【選択図】図４
2005305259.tif 000002
【特許請求の範囲】
【請求項１】
生ごみを分解処理する処理槽と、前記処理槽と外気とを連通する吸気通路と、前記吸気通路中に配設されて前記処理槽内に外気を導入する送風装置と、前記吸気通路の外気空気取り入れ口に設けたフィルターとを備え、前記吸気通路を上下方向に形成してその上部に送風装置、下部にフィルターを設けた生ごみ処理機。
【請求項２】
生ごみを分解処理する処理槽と、前記処理槽と外気とを連通する吸気通路と、前記吸気通路中に配設されて前記処理槽内に外気を導入する送風装置と、前記吸気通路の外気空気取り入れ口に設けたフィルターとを備え、前記吸気通路の下壁はフィルター側に向って当該フィルター側ほど低くなるくだり傾斜状とした生ごみ処理機。
【請求項３】
生ごみを分解処理する処理槽と、前記処理槽と外気とを連通する吸気通路と、前記吸気通路中に配設されて前記処理槽内に外気を導入する送風装置と、前記吸気通路の外気空気取り入れ口に設けたフィルターとを備え、前記吸気通路を上下方向に形成してその上部に送風装置、下部にフィルターを設けるとともに、前記吸気通路の下壁はフィルター側に向って当該フィルター側ほど低くなるくだり傾斜状とした生ごみ処理機。
【請求項４】
吸気通路はフィルターを有する外気吸気口形成体と送風装置を覆い処理槽内に連通させた送風装置ケーシングとで構成するとともに、前記送風装置の空気取り入れ口は処理槽側に開口させた請求項１〜３のいずれか１項記載の生ごみ処理機。
【請求項５】
フィルターを略垂直方向に設けた請求項１〜４のいずれか１項記載の生ごみ処理機。
【請求項６】
フィルターの開口部周囲にリブを設けた請求項１〜５のいずれか１記載の生ごみ処理機。
【請求項７】
フィルター開口部周囲のリブの一部を切欠いた請求項６記載の生ごみ処理機。
【請求項８】
フィルターを着脱自在に設けた請求項１〜７のいずれか１項に記載の生ごみ処理機。
【請求項９】
フィルターの吸気面積を外気吸気口形成部の吸気面積とほぼ同じか大きくした請求項４〜８のいずれか１項記載の生ごみ処理機。
【請求項１０】
送風装置の回路部を送風装置ケーシングが処理槽内と連通する送風口の下面より上側に配置した請求項４〜９のいずれか１項記載の生ごみ処理機。
【発明の詳細な説明】
【技術分野】
【０００１】
本発明は主として家庭用又は業務用の廃棄物を減容、減量処理する生ごみ処理機に関するものである。
【背景技術】
【０００２】
従来、この種の生ごみ処理装置は生ごみを減量、減容している。（例えば、特許文献１参照）図５は特許文献１に記載された従来の生ごみ処理装置を示すものである。
【０００３】
微生物（好気性）の生息場所となるおがくずや未分解の処理物等の微生物担体１０１を入れた微生物分解槽１０２と、投入された生ごみ１０３と微生物担体１０１とを混合、撹拌するための回転撹拌棒１０４及びその駆動装置１０５を有し、投入された生ごみ１０３を微生物により最終的には二酸化炭素と水に分解し、生ごみ１０３を減量及び減容するもので、微生物分解槽１０２内の温度を適正に保つための加熱手段１０６、酸素（空気）を供給するための送風装置１０７と吸気口１０８、それらの制御を行う制御手段（図示せず）を備え、微生物の働きにより生ごみを分解し減量及び減容する。また、乾燥室１０９は微生物分解槽１０２の上部に設けられ、回転可能なプレート１１０で仕切られており、吸気ファン１１１を有する吸気口１１２が設けられると共に、排気ファン１１３を有する排気口１１４が設けられる。
【０００４】
以上のように構成された生ごみ処理装置は、微生物が生ごみ１０３を分解する方式のため、この微生物を生息させ、活性化させるための環境を作る必要がある。１つには、微生物が多く生息でき増殖するための場所が必要であり、微生物担体１０１には、おがくずのような木片チップ、多孔質のプラスチック片等が用いられている。２つには、微生物による分解に必要な条件である酸素（空気）が、微生物担体１０１に回転撹拌棒１０４の撹拌作用により供給される。また、３つには、適度の湿度が必要であり、乾燥しすぎの状態では、微生物は生存できなし、水分の多い状態でも分解の能力が低下する。
【０００５】
そこで、生ごみ１０３が乾燥室１０９に投入されると、空気が吸気ファン１１１の吸引作用により吸気口１１２から乾燥室１０９に供給され、再び排気ファン１１３の排気作用により排気口１１４から排出される。その際、空気が乾燥室１０９に投入された生ごみ１０３を乾燥する。次に、生ごみ１０３の乾燥終了後プレート１１０が回転して、乾燥した生ごみ１０３は微生物分解槽１０２内に落下する。続いて、落下した生ごみ１０３は回転撹拌棒１０４の撹拌作用により微生物担体１０１と十分に混合して、微生物分解１０２が始まる。その際、生ごみ１０３の表面が乾いているので、生ごみ１０３自身や生ごみ１０３と微生物担体１０１の絡み付きが抑制でき、生ごみ１０３や微生物担体１０１の小粒化が防止できる。他方、制御手段が加熱手段１０６の加熱量と送風装置１０７の換気能力を調整して微生物担体１０１の水分を一定に保っている。特に、水分の多い生ごみ１０３が乾燥室１０９に投入された場合でも、事前に生ごみ１０３をある程度乾燥しているので、制御手段が加熱手段１０６の加熱量と送風装置１０７の換気能力を上げて微生物担体１０１の水分調整ができる。
【特許文献１】特開平９−２９２１１号公報
【発明の開示】
【発明が解決しようとする課題】
【０００６】
しかしながら、上記構成では、プレート１１０およびそれを回転させるための機構があるため、構造が複雑になり、本体自体も大きなものとなっていた。そこでプレート１１０を廃止し、微生物担体１０１の上に直接ごみを落として乾燥させることが考えられるが、その場合、送風量が少なくなると生ごみの水分が微生物担体１０１に染み込み、水分過多となって微生物の活性を鈍らせる現象につながる。そのため送風量は一定に保つ必要があるが、生ごみ処理機は屋外に置かれることがあるため、ファンへの異物や雨水の浸入、吸気部のつまりによる風量の低下やファンの故障という問題がある。
【０００７】
本発明は上記課題を解決するもので、屋外設置の環境でも生ごみの乾燥性能、および微生物の活性状態を安定して維持することにより、生ごみの分解性能が良好に継続でき、臭気の少ない生ごみ処理装置を提供することを目的とするものである。
【課題を解決するための手段】
【０００８】
上記従来の課題を解決するために本発明は、生ごみを分解処理する処理槽と、前記処理槽と外気とを連通する吸気通路と、前記吸気通路中に配設されて前記処理槽内に外気を導入する送風装置と、前記吸気通路の外気空気取り入れ口に設けたフィルターとを備え、前記吸気通路を上下方向に形成してその上部に送風装置、下部にフィルターをた構成としてある。
【０００９】
これにより外部から大きいほこりやごみが送風装置に吸い込まれるのを防しすることができ、しかも吸気通路の外気空気取り入れ口から雨水が進入してもこの雨水が送風装置部分まで入り込むことがなく、屋外設置の環境でも風量不足を起こすことなく生ごみの処理性能を安定させ故障の少ない、使い勝手の良い生ごみ処理機を実現するものである。
【発明の効果】
【００１０】
本発明は、屋外設置の環境でも生ごみの処理性能を安定させ、故障の少ない使い勝手の良い生ごみ処理機を提供することができる。
【発明を実施するための最良の形態】
【００１１】
第１の発明は、生ごみを分解処理する処理槽と、前記処理槽と外気とを連通する吸気通路と、前記吸気通路中に配設されて前記処理槽内に外気を導入する送風装置と、前記吸気通路の外気空気取り入れ口に設けたフィルターとを備え、前記吸気通路を上下方向に形成してその上部に送風装置、下部にフィルターを設けた構成としてあり、外部から大きいほこりやごみが送風装置に吸い込まれるのを防具ことができ、しかも吸気通路の外気空気取り入れ口から雨水が進入してもこの雨水が送風装置部分まで入り込むことがなく、屋外設置の環境でも風量不足を起こすことなく生ごみの処理性能を安定させ故障の少ない、使い勝手の良い生ごみ処理機を実現することが出来る。
【００１２】
第２の発明は、生ごみを分解処理する処理槽と、前記処理槽と外気とを連通する吸気通路と、前記吸気通路中に配設されて前記処理槽内に外気を導入する送風装置と、前記吸気通路の外気空気取り入れ口に設けたフィルターとを備え、前記吸気通路の下壁はフィルター側に向って当該フィルター側ほど低くなるくだり傾斜状とした構成としてあり、外部から大きいほこりやごみが送風装置に吸い込まれるのを防具ことができ、しかも万一吸気通路内に雨水が入ってもこの雨水は傾斜に沿って外部に流出し、本体内に入り込んで故障の原因となることがなく、屋外設置の環境でも風量不足を起こすことなく生ごみの処理性能を安定させ故障の少ない、使い勝手の良い生ごみ処理機を実現することが出来る。
【００１３】
第３の発明は、生ごみを分解処理する処理槽と、前記処理槽と外気とを連通する吸気通路と、前記吸気通路中に配設されて前記処理槽内に外気を導入する送風装置と、前記吸気通路の外気空気取り入れ口に設けたフィルターとを備え、前記吸気通路を上下方向に形成してその上部に送風装置、下部にフィルターを設けるとともに、前記吸気通路の下壁はフィルター側に向って当該フィルター側ほど低くなるくだり傾斜状とした構成としてあり、外部から大きいほこりやごみが送風装置に吸い込まれるのを防具ことができ、しかも吸気通路の外気空気取り入れ口から雨水が進入してもこの雨水が送風装置部分まで入り込むことがなく、万一吸気通路内に雨水が入ってもこの雨水は傾斜に沿って外部に流出し、本体内に入り込んで故障の原因となることがなく、屋外設置の環境でも風量不足を起こすことなく生ごみの処理性能を安定させ故障の少ない、使い勝手の良い生ごみ処理機を実現することが出来る。
【００１４】
第４の発明は、吸気通路はフィルターを有する外気吸気口形成体と送風装置を覆い処理槽内に連通させた送風装置ケーシングとで構成するとともに、前記送風装置の空気取り入れ口は処理槽側に開口させた構成としてあり、吸気通路から雨水が入った場合でも送風装置の空気取り入れ口までの距離が長くなるとともに外気通路の屈曲が多くなるので送風装置の空気取り入れ口まで雨水が達するのを防止することができ、屋外環境でも故障の少ない生ごみ処理機を実現することができる。
【００１５】
第５の発明は、フィルターを略鉛直方向に設けた構成としてあり、フィルターを略垂直に形成したことで本体を大きくすることなくフィルターを大きくすることができて、フィルターでの風速を抑えることによりフィルターへのごみや埃の付着を抑えることができ、乾燥性能を安定できる生ごみ処理機を実現することができる。
【００１６】
第６の発明は、フィルターの開口周辺にリブを設けたことにより雨水がフィルターにかかるのを抑えることができてフィルターへのごみや埃の付着を抑えることができ、乾燥性能を安定できる生ごみ処理機を実現することができる。
【００１７】
第７の発明は、フィルター開口部周囲のリブの一部を切欠いた構成としてあり、これにより紙切れや葉っぱのような大きなごみがフィルターに覆い被さってもリブを切り欠いた部分にすきまができ、そこから吸気することで送風量を保ち乾燥性能を安定できる生ごみ処理機を実現することができる。
【００１８】
第８の発明は、フィルターを着脱自在にした構成としてあり、万一フィルターが詰ってもフィルターを外してフィルターの掃除をすることにより容易に送風量を回復させることができるので乾燥性能を安定できる生ごみ処理機を実現することができる。
【００１９】
第９の発明は、フィルターの吸気面積を外気吸気口形成部の吸気面積とほぼ同じか大きくした構成としてあり、フィルターの吸気圧損を抑え、乾燥性能を安定できる生ごみ処理機を実現することができる。
【００２０】
第１０の発明は、送風装置の回路部を送風装置ケーシングが処理槽内と連通する送風口の下面より上側に配置した構成としてあり、万一送風装置に水が入っても送風装置の回路にに水が付着することがないので送風装置の故障を防ぐことができ、屋外環境でも故障の少ない生ごみ処理機を実現することができる。
【００２１】
以下、本発明の実施の形態について、図面を参照しながら説明する。なお、この実施の形態によりこの発明が限定されるものではない。
【００２２】
（実施の形態１）
本発明の第１の実施の形態について、図１〜図４を用いて説明する。
【００２３】
図１〜図４において、１は生ごみ処理機の本体、２は生ごみおよびオガクズなどの担体を収納する処理槽で、前記本体１内に設けられており、かつ上方には蓋３を備えており、この蓋３を開放して生ごみの投入ができるようになっている。４は撹拌手段で、回転軸４ａと３本の回転撹拌棒４ｂからなり、モータ５ａと減速器５ｂとからなる駆動装置５で回転駆動される。そして回転撹拌棒４ｂは投入された生ごみ２６と担体２４とを混合、撹拌し、担体２４に酸素（空気）を供給する。
【００２４】
６は処理槽２の外壁に貼り付けられた加熱手段で、必要に応じて加熱し、処理槽２を所定の温度に保持する。７は処理槽２と外気とを連通した吸気通路、８は同じく処理槽２と外気とを連通した排気通路で、図２に示すようにこの排気通路８には処理槽２より外気に向かって送風する排気送風装置９が設けられている。１０は排気通路８の下端に形成した排気口で、前記排気送風装置９の動作により外気に向かって排気する。
【００２５】
前記吸気通路７は図４に示すように上下方向に形成されており、その上方には送風装置(以下乾燥ファンと称す)１６が、また外気取り入れ口となる下方開口部にはフィルター１２が着脱自在に設けてある。この吸気通路７は前記乾燥ファン１６の送風装置ケーシング１１及びこの送風装置ケーシング１１を覆う如く位置している本体１の壁１ａと、前記本体１の壁に着脱自在に取付けた外気吸気口形成体７ａとで構成してある。そして前記外気吸気口形成体７ａに前記フィルター１２が設けてあり、このフィルター１２と対向する吸気通路下壁７ｂはフィルター１２側ほど低くなるくだり傾斜状に形成してある。
【００２６】
上記フィルター１２は略垂直方向に取り付けられていて吸気通路７内に大きいほこりやごみが入らないようにしている。そしてこのフィルター１２は枠部１２ａとメッシュ部１２ｂとリブ１２ｃとガイド部１２ｄと爪１２ｅで構成されており、ガイド部１２ｄが外気吸気口形成体７ａに挿入されて爪部１２ｅが引っ掛かるようになっており、フィルター１２を引っ張ると外れるようになっている。またメッシュ部１２ｂ、すなわち開口部の周囲にリブ１２ｃが形成されていてリブ１２ｃは下側が切り欠いたような形状、すなわちメッシュ部１２ｂの上部にひさし上に設けられている。
【００２７】
一方、前記送風装置ケーシング１１は圧力タイプの遠心ファンである乾燥ファン１６を内蔵し、その送風口は処理槽２への入り口となる送風口３１に連通している。そしてこの送風装置ケーシング１１内に設けた乾燥ファン１６はその気取り入れ口１６ａが処理槽２側に向かって開口するように設けてある。加えてこの乾燥ファンの制御回路１６ａは乾燥ファン１６より上方に設けてある。
【００２８】
なお、前記外気吸気口形成体７ａは通路部２３を形成する二重壁部分の外壁側を前記本体１の壁１ａの下端に突合せ、内壁側を前記送風装置ケーシング１１の下端に引っ掛け嵌合させるとともに図示しない下部を本体１にビス止めすることにより着脱自在に取付けてある。
【００２９】
以上のように構成された生ごみ処理機について、以下その動作、作用を説明する。
【００３０】
まず、電源が供給されると排気送風装置９が連続運転を開始し、フィルター１２、外気吸気口形成体７ａ、送風装置ケーシング１１を通り空気が送風口３１から処理槽２の上部に流入する。続いて、この空気は排気送風装置９の排気作用により図示しない排気口から排気通路８を通り、排出口１０を通って外へ排気される。すなわち、処理槽２の上部を常時換気する。
【００３１】
そして、蓋３を開けて、生ごみ２６を処理槽２に投入後、再び蓋３を閉めると、乾燥ファン１６が送風を開始する。この時乾燥ファン１６はフィルター１２、外気吸気口形成体７ａ、送風装置ケーシング１１を通して吸い込んだ外気を送風口３１から処理槽２の上部に送風する。次に、蓋３に当たった空気は、整流され生ごみに向かって噴出する。噴出された空気は生ごみ２６の上部から下部に貫通し、そして担体２４に衝突後、生ごみ２６の側部から生ごみ２６の外へ出て排気口から排気される。その際に、空気が生ごみ２６から発生する水蒸気を直ちに運び出す（生ごみ２６の雰囲気の水蒸気分圧が下がる）ので、生ごみ２６は速やかに乾燥する。
【００３２】
その後、乾燥ファン１６が送風を開始して所定時間経過後（例えば３時間後）、乾燥ファン１６が停止する。続いて、駆動装置５により駆動する回転撹拌棒４ｂが乾燥した生ごみ２６（例えば水分は１０〜５０％減）と担体２４とを混合する。他方、処理槽２２の担体２４が所定の温度（例えば３０℃程度）に維持されるように、加熱手段６がＯＮ／ＯＦＦ制御される。また、駆動装置５により駆動する回転撹拌棒４ｂは担体２４と乾燥した生ごみ２６を間欠的に混合、撹拌し、担体２４に酸素（空気）を供給する。同時に、回転撹拌棒４ｂの撹拌動作は担体２４の水蒸気を処理槽２の上部空間に放出させる。更に、排気送風装置９が、排出口１０から処理槽２内の水蒸気や空気等を排気するので、担体２４の水分調整（水分を減らす）ができる。そして担体２４に生息する微生物は乾燥した生ごみ２６を最終的には二酸化炭素と水に分解し、乾燥した生ごみ２６を減量及び減容する。
また、大量の生ごみ２６や水分の多い生ごみ２６が投入された場合でも、乾燥ファン１６から供給され、送風口３１から噴出する空気が生ごみ２６を乾燥する。この乾燥分、担体２４の水分調整ができるので、担体２４が粒や塊にならず、通気性が確保できる。すなわち、回転撹拌棒４ｂの間欠的な混合、撹拌により担体２４に酸素（空気）が供給できる。特に、送風口３１から噴出した空気は、処理槽２の担体２４表面近傍に浸透するので、処理槽２では良好な通気性が確保でき、臭いの少ない乾燥した生ごみ２６の分解性能が継続できる。また、エネルギー消費の大きい加熱手段（電気ヒータやバーナ）の熱源を使わず、大気熱を利用する乾燥ファン１６の送風により生ごみ２６を乾燥させるので、省エネルギーが図れる。更に、生ごみ２６の表面が乾いているので、生ごみ２６の表面が担体２４から水分を吸収するまでの間、生ごみ２６の分解が抑えられる。この結果、投入された生ごみ２６の分解性能が平準化され、臭気成分の発生ピークが小さくなり、瞬間的な臭いが少なくなる。また、担体２４が少ない場合や担体２４の表面が凸凹になった場合でも、常に処理槽２の底部方向に向かって噴出した空気は処理槽２に投入された生ごみ２６の上部に衝突し、生ごみ２６を貫通しながら生ごみ２６を乾燥する。この結果、常に安定した生ごみ２６の乾燥性能が得られる。
【００３３】
上記の動作からわかるようにこの生ごみ処理機は、排気送風装置９と乾燥ファン１６の働きによって常にフィルター１２を通して外気が取り入れられる構造となっているとともに生ごみ処理機は屋外に設置されることが多いのでほこりやごみの多い環境のなか風雨にさらされることになるが、外気の取り入れ口となる部分にはフィルター１２が設けてあり、しかもそのフィルター１２は略垂直に取り付けられているのでその吸気面積を大きくすることが出来、その結果、フィルター１２での吸気速度を抑えて、大きいほこりやごみが乾燥ファン１６に吸い込まれるのを防ぎ、フィルター１２に吸い寄せられたほこりやごみは下方に落ちフィルターも目詰まりしにくい。
【００３４】
さらに、上記フィルター１２の上部には一部を切り欠いたリブ１２ｃがあるために葉っぱや紙くずのような大きいごみがフィルター１２に張り付いてもメッシュ部を完全にふさぐことはなく、すきまより外気を吸い込むことができるので乾燥ファン１６の送風性能の低減を抑えることができる。
【００３５】
そして、フィルター１２は引っ張れば外すことができるのでフィルター１２が目詰まりしたときでも簡単に取り外して清掃することができる。万一、清掃後フィルター１２を付け忘れても外気吸気口形成体７ａの吸気路２３を略水平方向に開口させたことで大きいごみは自重により落下するようになっている。
【００３６】
またフィルター１２の吸気面積を外気吸気口形成体７ａ、すなわち吸気通路７の吸気路２３の面積とほぼ同じか大きくした構成としてあり、フィルター１２の吸気圧損を抑え、乾燥性能を安定できる生ごみ処理機を実現することができる。
【００３７】
また、屋外環境では吸気通路７内に雨が入ることがあるが、乾燥ファン１６は吸気通路７の上方に設けてあり、しかもその乾燥ファン１６の空気取り入れ口１６ａが処理槽２側にあることで、外気取り入れ口であるフィルター１２部分から乾燥ファン１６の空気取り入れ口１６ａまでの距離が長くなり、かつ、屈曲も多くなるので、乾燥ファン１６の空気取り入れ口まで達する雨はほとんどなくなり、乾燥ファン１６の故障を防ぐことができる。
【００３８】
またこの乾燥ファン１６の回路部１６ｂを送風装置ケーシング１１が処理槽２内と連通する送風口３１の下面より上側に配置してあるので、万一送風装置１６に水が入っても送風装置１６の回路部１６ｂに水が付着することがないので送風装置１６の故障を防ぐことができ、屋外環境でも故障の少ない生ごみ処理機を実現することができる。
【００３９】
また、吸気通路７内に入った雨はフィルター１２と対向する吸気通路７の下壁が下り傾斜となっているのでこの傾斜に沿ってフィルター１２のメッシュ或いはフィルターと本体壁との間の隙間を通って外部に流出し、吸気通路７内に溜まって障害を引き起こすこともなくなる。
【００４０】
さらに、送風装置ケーシング１１と外気吸気口形成体７ａの当接部の構成により、吸気通路７内に入った雨が吸気経路外にこぼれて本体１内に入ることがないので、本体１内の部品の故障を防ぐことができる。
【産業上の利用可能性】
【００４１】
以上のように、本発明にかかる生ごみ処理機は、風雨にさらされる屋外環境においても安定した分解性能を維持し、故障も少ない、したがって使い勝手の良い生ごみ処理機を提供できるもので、家庭、レストラン、各種施設の食堂から排出される生ごみを処理する生ごみ処理機の使い勝手の向上などに極めて有用なものである。
【図面の簡単な説明】
【００４２】
【図１】本発明の実施の形態を示す生ごみ処理機の断面図
【図２】同生ごみ処理機の内部を示す図
【図３】同生ごみ処理機の背面図
【図４】同生ごみ処理機の要部断面図
【図５】従来の生ごみ処理機の断面図
【符号の説明】
【００４３】
１  本体
２  処理槽
３  蓋
４  撹拌手段
５  駆動装置
６  加熱手段
７  吸気通路
７ａ  外気吸気口形成部
８  排気通路
９  排気送風装置
１０  排気口
１１  送風装置ケーシング
１２  フィルター
１６  乾燥ファン(送風装置)
２３  吸気口
３１  送風口
【図１】
2005305259.tif 000003
【図２】
2005305259.tif 000004
【図３】
2005305259.tif 000005
【図４】
2005305259.tif 000006
【図５】
2005305259.tif 000007